Podtech/llm-jp-corpus-v4-ja_patent huggingface dataset:
(57)【要約】【課題】  上半身の汗が下半身に流れ落ち、下着までズブ濡れになる状況の場合、ほとんどの方はやむなく上半身だけ着替えているのが現状である。解決しようとする問題点は、いかにして下着を快適な状態に保つかということである。【解決手段】  本発明は上半身から流れ落ちる汗を腰部で吸収し、下半身への影響を防止させるために収縮性のある帯状のパイル地Ａの両端にマジックテープＢ１，Ｂ２をつけ、それを胴部に巻きつけ固定するものである。本発明を着用することによって、下着を快適な状態に保つことができ、形状を帯状にしたことで容易な脱着を可能にした。【選択図】  図２
2005120536.tif 000002
【特許請求の範囲】
【請求項１】
上半身から流れ落ちる汗を腰部で吸収し、下着が濡れるのを防止させる製品であり、伸
縮性のあるパイル生地の両端にマジックテープをつけて固定することで容易な取替えを可能にしたワンタッチ吸汗ベルト。
【発明の詳細な説明】
【技術分野】
【０００１】
本発明はスポーツや作業時の上半身の汗が下半身に流れ落ち、下着が濡れるのを防止させることを主とした目的とし、その取替えを容易にしたものである。
【背景技術】
【０００２】
従来は主に腹部の保温や痩身、又は腰痛緩和を目的とした製品は存在したが上半身の汗を防止し、下着の濡れを緩和させることを目的とした製品はなかった。
【０００３】
パイル地の腹巻は存在したが形状が筒状のため脱着が容易ではなかった。
【特許文献１】特開平０８−１１３８０３
【特許文献２】特開平０９−２２４９６６
【発明の開示】
【発明が解決しようとする課題】
【０００４】
夏場の屋外作業に於いて上半身の汗が下半身に流れ落ち、下着までズブ濡れになることが多々あり、こうした場合ほとんどの方は上半身のみの着替えにとどめている。
下半身の着替えを持参した場合でも、作業現場に於いては更衣施設を設けていないところが少なくなく、やむなく上半身だけ着替えているのが現状である。
【０００５】
解決しようとする問題点は、作業開始から帰宅するまでいかにして下着を快適な状態に保つかということである。
【課題を解決するための手段】
【０００６】
本発明は上半身から流れ落ちる汗を腰部で吸収し、下半身への影響を防止させるために収縮性のある帯状のパイル地の両端にマジックテープをつけ、固定するものである。
【発明の効果】
【０００７】
本発明を着用することによって上半身から流れ落ちる汗を腰部で吸汗するため、下着を快適な状態に保つことができるとともに、形状を筒状ではなく帯状にしたことで脱着が容易である。
【０００８】
スポーツや作業時のみならず、日常の着用でも発汗、吸汗効果で腹部の痩身効果も期待
できる。
【発明を実施するための最良の形態】
【０００９】
上半身から流れ落ちる汗を腰部で吸収し、下半身の下着への影響を防止させるという目的を特殊な材料を使うことなく実現した。
【実施例１】
【００１０】
帯状の収縮性のあるパイル地Ａの両端にマジックテープＢ１，Ｂ２をつけたものである。これを胴部に巻きつけマジックテープで固定する。
【００１１】
本発明の試作品を気温33度の建設作業現場で使用した。上着を絞れば雑巾を絞るように汗が滴り落ちるほど汗をかいたが、試作品２つを10時12時3時と交互に取替え使用した結果、下着の濡れ具合は作業終了後、車を運転して帰るのにさほど気にならない程度に抑えられた。
【産業上の利用可能性】
【００１２】
本発明は屋外作業のみならず、スポーツなどあらゆる発汗を伴う分野で幅広く使用される可能性があると思われる。
【図面の簡単な説明】
【００１３】
【図１】平面の正面から見た図である。
【図２】立体の斜め上から見た図である。
【符号の説明】
【００１４】
Ａ      収縮性のあるパイル生地を表す。
Ｂ１    マジックテープの凸を表す。
Ｂ２    マジックテープの凹を表す。
【図１】
2005120536.tif 000003
【図２】
2005120536.tif 000004
(57)【要約】【課題】  陸橋上からの雪塊の落下を防ぎ、下を走行中の自動車の事故を防ぐ雪が積らないうちに落下させる滑雪板を提供する。【解決手段】  陸橋の幅方向の縁部とその上に設けるガードレール又は欄干との間に出来る突出部に傾斜した滑雪板を装着することによって、降る雪は積ることなく、滑雪板によって落下するため下を走行中の自動車には何らのショックがない。【選択図】  図１
2005120805.tif 000002
【特許請求の範囲】
【請求項１】
高速道路上に架る地点に存在する構造物の突出部や突起部、あるいは幅のある露出部に対して、この部分の上部に、滑面を有して傾斜のある滑雪板を設けたことを特徴とした道路構築物の除雪装置。
【請求項２】
滑雪板は片流れ式の傾斜板であることを特徴とした請求項１に記載の道路構築物の除雪装置。
【請求項３】
滑雪板は側面をへの字形に形成し、その頂部に雪切板を立設したことを特徴とした請求項１項に記載の道路構築物の除雪板。
【請求項４】
滑雪板は切妻型であって、この頂部に雪切板を立設したことを特徴とした請求項１に記載の道路構築物の除雪板。
【発明の詳細な説明】
【技術分野】
【０００１】  本発明は着雪防止構造に係り、豪雪地帯では道路上方に設置されている構造物に積った雪が付着した雪塊をコンスタントに取り除くようにした道路構築物の除雪装置に関する。
【背景技術】
【０００２】  従来、冬期間を通じて積雪状態にある豪雪地帯では、積った雪が、幹線道路上に設置されている構造物上に積り雪塊となって固着し、日中気温が上ると氷雪塊が緩み路上に落下し、通行中の車輌に当り、又は路上に落下放置されて事故の原因となる。
【特許文献】  特開２００１−２３０８７号公報
【発明の開示】
【発明が解決しようとする課題】
【０００３】  上記公知例は、信号機の表示灯の上に庇を設け、除雪機を設けて雪を掻き落す構造であって、掻き落し機を設けるため積雪期の作動に不安がある。また信号機や道路標識板にヒーターを取付けて融雪を図ることも開発されている。
【課題を解決するための手段】
【０００４】  発明者は、この豪雪地帯での道路交通上の安全を図るため、鋭意研究を重ねた結果本発明に到達したものであって、本発明は、傾斜した滑板を用い、雪が塊となる前に少しづつ滑落させること、あるいは雪切板を設けて、雪塊を分割して落下させる構造であって、これにより雪は、雪塊となる以前に着雪することなく小量のまま落下するため車体に当っても、又は路上に落下しても事故につながるおそれがない。【０００５】  本発明の対象となる構造物としては、河川上に掛ける橋の門型柱の上、陸橋の側方の段部分、水道橋、信号灯、又は道路標識板等が考えられる。【０００６】  そして滑板としては、雪の付着しにくい滑面であることが必要であるため、合成樹脂板や、塗装した鉄板が適している。
【発明の効果】
【０００７】  上述のように本発明は、高速道路や幹線道路を跨ぐ道路橋の橋端の僅かな突出部に吹留る雪が雪塊、氷塊となって下の道路に落下することや、同じような高速道路や幹線道路上に設けられている案内板の横木上に積る雪が塊となって落下して、下の通路を通行する車に対しての事故を防止する。
【発明を実施するための最良の形態】
【０００８】  本発明は請求項各項及び各図面に示しているように、高速道路や幹線道路を跨ぐ橋や道路上の構造物に対して、傾斜のある滑雪板を取り付けることにより、降り積る雪は、氷雪塊となる前に滑雪板によって落下し大きなショックは避けられる。【０００９】  又構造物に対して切妻型の滑雪板を用いる場合には、屋根頂部に割雪板を垂直に立設することによって積った雪は左右に分割されて下方に落下するため、雪は大塊とならずに済む。
【実施例】
【００１０】  添付図面により本発明の実施例を説明する。図１は高速道路や幹線道路上を跨ぐ陸橋の縁部分の説明図であって、請求項１及び２に記載されている構造図を示し、（１）は陸橋の縁石の基礎コンクリートを示し、（２）は縁石（１）上に立設されているガードレール又は欄干の手摺を示す。【００１１】  この縁石（１）とガードレール（２）の植設部には段状の凸部が形成され、降雪時にこの凸部に雪が積って山状になり、遂には落下する。この時雪の大塊の場合は、万一走行中の車に当った場合は大事故となることは必須で、また当らなくとも雪の大塊が路上に突然現われた時は、衝撃とスリップによる事故につながる危険がある。【００１２】  これを解消するのが本発明の滑雪板Ａであって、本発明の除雪装置に使用する滑雪板Ａは、図示されているように、縁石（１）の基礎コンクリートとガードレール（２）との間の凸状段部に片流れ式の傾斜板を当てることによって、降雪は凸状部に溜ることなく滑り落ちる。このためこの落下する量は少く、橋下を走行する自動車には大きなショックとはならない。【００１３】  図２は請求項３に記載されている道路上の構造物として、案内板（３）に使用する滑雪板Ａの実施例であって、側面へ字状に形成する。屋根となるへ字状の滑雪板Ａは案内板（３）の表示面側に短い辺側を向ければ車の走行中でも見にくくなく、長い辺側は板の取り付け部（４）に掛り、この部分に積る雪も大塊とならずに下方に落下することとなり、大事故を防げる。【００１４】  又図３は水道橋などの構造物を対象とした請求項４の実施例図であって、滑雪板Ａとしての屋根は切妻状に構成されている。【００１５】  図２及び図３に示されている消雪板Ａは共に頂部が形成されている。本発明の滑雪板Ａの１実施例であって、この頂部に垂直に雪切板Ｂを立設する。この雪切板Ｂを設けることによって、頂部に山状に積った雪塊は左右に分割されて落下するため、大塊となって道路上に落下することはない。【００１６】  図４は片持ち式の滑雪板Ａの別の実施例で、特別に大形で滑落し易いアクリル樹脂製の、しかも僅かに球面を形成した滑雪板Ａで特殊な場所の使用に適している。【００１７】  更に図示していないが路上の構造物としては、トンネルの入口、或は鉄橋の門型の支柱上も敷設する対象として適している。
【産業上の利用可能性】
【００１８】  本発明は、北国豪雪地帯の高速道路や幹線道路に数多く見られるこの道路を跨ぐ橋、或はこれらの道路に設けられている案内板や標識板等から落下する氷雪塊による自動車事故を無くすために広く利用することができるもので、交通安全に寄与できる。
【図面の簡単な説明】
【００１９】
【図１】  片流れ式の滑雪板の実施例図
【図２】  屋根式の滑雪板の実施例図
【図３】  切妻式屋根滑雪板の実施例図
【図４】  特殊片流れ式の滑雪板の実施例図
【符号の説明】
【００２０】（１）…基礎コンクリート
（２）…ガードレールの支柱
（３）…案内板
（４）…取付け材
（５）…水道管
Ａ…滑雪板
Ｂ…雪切板
【図１】
2005120805.tif 000003
【図２】
2005120805.tif 000004
【図３】
2005120805.tif 000005
【図４】
2005120805.tif 000006
(57)【要約】【課題】  ネズミ用のベイト剤やネズミ捕獲器用のネズミ捕獲誘引材に適用可能な新規なネズミ誘引成分を提供すること。【解決手段】  １−ノナナールがネズミの誘引成分として有効であることから、以下の発明により課題を解決できる。（１）１−ノナナールを有効成分として含有することを特徴とするネズミの誘引剤。（２）１−ノナナールの誘引有効量を含有するネズミの誘引剤をネズミの通り道に処理することを特徴とするネズミの誘引方法。（３）ネズミを誘引するための１−ノナナールの使用。【選択図】  なし【特許請求の範囲】
【請求項１】
１−ノナナールを有効成分として含有することを特徴とするネズミの誘引剤。
【請求項２】
１−ノナナールの誘引有効量を含有するネズミの誘引剤をネズミの通り道に処理することを特徴とするネズミの誘引方法。
【請求項３】
ネズミを誘引するための１−ノナナールの使用。
【発明の詳細な説明】
【技術分野】
【０００１】
本発明は、ネズミの誘引剤及びネズミの誘引方法に関する。
【背景技術】
【０００２】
ネズミの誘引・喫食性を高めるために、ネズミの誘引成分を添加したネズミ用のベイト剤が知られている（例えば、特許文献１参照）。また、ネズミ誘引成分を担持体に保持させたネズミ捕獲器用のネズミ捕獲誘引材が知られている（例えば特許文献２参照）。
【０００３】
【特許文献１】特開２００２−３３２５号公報
【特許文献２】特開２００２−１７２３２号公報
【発明の開示】
【発明が解決しようとする課題】
【０００４】
本発明は、ネズミ用のベイト剤やネズミ捕獲器用のネズミ捕獲誘引材に適用可能な新規なネズミ誘引成分を提供することを課題とする。
【課題を解決するための手段】
【０００５】
本発明者等は、ネズミの誘引成分として有用な化合物について検討した結果、１−ノナナールがネズミの誘引成分として有効であることを発見し、本発明を完成した。
【０００６】
即ち、本発明は以下のものである。
（１）１−ノナナールを有効成分として含有することを特徴とするネズミの誘引剤。
（２）１−ノナナールの誘引有効量を含有するネズミの誘引剤をネズミの通り道に処理することを特徴とするネズミの誘引方法。
（３）ネズミを誘引するための１−ノナナールの使用。
【発明の効果】
【０００７】
本発明のネズミの誘引剤は、優れたネズミの誘引効果を示す。
【発明を実施するための最良の形態】
【０００８】
本発明に用いられる１−ノナナールとは、下記式（Ａ）で示される化合物であり、関東化学株式会社、東京化成株式会社等から試薬として市販されている化合物である。
2005120048.tif 000002
【０００９】
本発明のネズミの誘引剤は、通常、１−ノナナールの誘引有効量を固体担体及び／又は液体担体、必要に応じて他の補助剤等を混合したものである。
用いられる固体担体としては塩化ビニル、ポリエチレン、ポリプロピレン、アクリル、酢酸ビニル、エチレン／酢酸ビニル共重合体、シリコン等の樹脂、米粉、小麦粉、トウモロコシ粉等の穀物粉末、ショ糖、ブドウ糖、果糖、乳糖等の糖類、タルク、炭酸カルシウム、珪藻土等の無機鉱物、澱粉、デキストリン等が挙げられ、液体担体としてはコーン油、大豆油、オリーブ油等の植物油、フタル酸エステル、セバシン酸エステル、アジピン酸エステル等のエステル類、グリセリン、ペンタエリスリトール等の多価アルコール類、シリコンオイル等が挙げられる。
【００１０】
本発明のネズミの誘引方法は、１−ノナナールの誘引有効量を含有するネズミの誘引剤をネズミの通り道に処理することにより行なわれる。本発明のネズミの誘引方法では、例えばパイプ、壁際、天井裏等のネズミの通り道に、誘引有効量の１−ノナナールを含有する本発明のネズミ誘引剤が処理される。本発明のネズミの誘引方法に用いられる１−ノナナールの量は、本発明のネズミの誘引方法を実施する空間の広さ、温度、風通し等の諸条件に応じて変化し得るので、予め本発明のネズミの誘引方法を実施する場所における１−ノナナールの有効量を実験的に決定することが好ましい。
本発明のネズミの誘引剤によって誘引されたネズミは、必要に応じて一般的にネズミの駆除に用いられているネズミ用の毒餌及び／又はネズミ駆除器により駆除される。
【００１１】
本発明のネズミの誘引剤は、例えば１−ノナナールをネズミ用の毒餌に配合したり、また固体担体に担持させてネズミ捕獲器用のネズミ誘引材としたものであってもよい。
【００１２】
本発明のネズミの誘引剤がネズミ用の毒餌に配合されたものである場合、該毒餌にはネズミ誘引効力を発揮するための有効量の１−ノナナールが配合される。また、この場合、ネズミ用の毒餌には、通常、他に公知のネズミ用の毒餌剤の基材、食餌成分等が配合される。本発明のネズミの誘引剤を配合したネズミ用の毒餌は、通常、ネズミのネズミの通り道に処理してネズミの駆除に用いられる。
【００１３】
本発明のネズミの誘引剤がネズミ捕獲器用のネズミ誘引材の形態である場合、該ネズミ誘引材にはネズミ誘引効力を発揮するための有効量の１−ノナナールを含有する本発明のネズミ誘引剤が担持される。
該ネズミ誘引材に用いられる固体担体としては、例えばコート紙、ボール紙等の紙、レーヨン、合成繊維、ガラス繊維等からなる不織布、木綿、絹、羊毛等の天然繊維からなる布、セラミック、アルミナ等の無機質物質、デンプン、セルロース等の多糖類及びその誘導体との有機質物質、水性及び油性ゲル、吸液性ポリマーやエチレン酢酸ビニル共重合体、メチルメタクリレート、アクリル酸等の共重合体、ポリ塩化ビニル、ポリエステル、ポリプロピレン等の樹脂、木材、及び金属が挙げられる。
このネズミ誘引材は、例えば一般的なネズミ捕獲器の中に設置して用いられる。
【００１４】
本発明のネズミの誘引剤は、ドブネズミ、クマネズミ、ハツカネズミ、ハタネズミ等のネズミに対して有効であり、ハツカネズミのオスに対して特に有効である。
【実施例】
【００１５】
以下、実施例により本発明をさらに詳しく説明するが、本発明はこれらの例に限定されるものではない。
【００１６】
実施例
図１に示す試験装置のａ部分及びｂ部分のうち、一方に所定量の１−ノナナールを溶解したシリコンオイル０．１ｍｌを含浸させた濾紙を配置し、他方にシリコンオイル０．１ｍｌを含浸させた濾紙を配置した。
次いで、図１に示す試験装置のＡ及びＢからＣ方向に微風が流れるようにしてから、図１に示すＣ部分にオスのハツカネズミ１頭を放した。ハツカネズミを放してから５分間、ハツカネズミがＡ側及びＢ側の網の近傍に滞在する時間をそれぞれ測定した。
試験は、異なるハツカネズミの個体を用いて、９〜１０反復で行った。また、１−ノナナールを溶解したシリコンオイルを含浸させた濾紙と、シリコンオイルのみを含浸させた濾紙との配置位置は、反復毎にａ部分、ｂ部分のいずれかに偏らないようにランダムに交代させた。
１−ノナナールを含有するシリコンオイルを含浸させた濾紙を配置した側の網の近傍にハツカネズミが滞在した時間の比率（滞在時間比率）を表１に示す。
【００１７】
【表１】
2005120048.tif 000003
【産業上の利用可能性】
【００１８】
本発明のネズミの誘引剤は優れたネズミの誘引効果を示すことから、ネズミ用のベイト剤やネズミ捕獲器用のネズミ捕獲誘引材に適用可能である。
【図面の簡単な説明】
【００１９】
【図１】実施例に用いた試験用装置の平面図
【図１】
2005120048.tif 000004
(57)【要約】【課題】  帯〆等の房を収納する用具であって、収納、携帯時の房の乱れを防止する物を提供する。【解決手段】巻付けて固定する部分を設けたシートによって、帯〆等の房をシートで包み固定する構造である。軽微な力でチャック部の開閉が可能で、携帯時の房の乱れや、保存時点での癖付きの防止を行い収納の簡便さのあるものとした。以上が，本発明の構成である。【選択図】    図４
2005048340.tif 000002
【特許請求の範囲】
【請求項１】
帯〆等の房収納具であって、シート等を使用し房を包み固定する手段を設けたことを特徴とする帯〆等の房収納具。
【発明の詳細な説明】
【技術分野】
【０００１】
本発明は、和装小物である帯〆等の房を収納する用具であって、帯〆等の房の乱れ防止や、かつ、長期保存による癖付きの防止を図る事を目的とした、帯〆等の房を収納する用具の改良に関する物である。
【背景技術】
【０００２】
帯〆等の房を収納するには箱に入れるか又は半紙、セロファンのような物で包み収納していた。帯〆等房の部分は乱れやすいのでかなり面倒な作業であった。（特許文献１）
【特許文献１】特開２００１-１１７２０号公報
【発明の開示】
【発明が解決しようとする課題】
【０００３】
帯〆等を収納する場合に於いて、セロファンで巻付けたり渦巻円筒状に加工された物は広げる時に変形する為、平面状の帯〆等については作業しにくいなどの問題点があった。 この問題を解決するために、本発明にあっては、柔軟性のあるプラスチックシートを使用し帯〆等の本体の部分を包み、チャック部を圧入固定した後、房の方向へ摺動移動することによって、房の乱れを修正しながら収納が出来るように、収納の簡易さ目的にしたものである。
【課題を解決するための手段】
【０００４】
本発明は、柔軟性のあるプラスチックシートを使用し、凹凸のあるチャック嵌合部分により開閉及び保持が可能であって、帯〆等の本体の部分より包みチャックを固定し房部分を揃えた後、摺動移動により房を包み固定する。帯〆等を使用する時にはそのまま引き抜き、繰り返し何度でも使えることが特徴である。以上が本発明の構成である。
【発明の効果】
【０００５】
着付け教室や、お茶、お花、踊りのお稽古等、着物を持参する時に整理整頓が容易で房自体に変な癖が付くことが無い。収納携帯等、従来の物に比較し大変便利になった。
【発明を実施するための最良の形態】
【０００６】
凹凸のあるチャック部を１体成型又は、溶着により張り合わせて１対としたシートを切抜きし形状を形成する(図1)。シートの大きさは帯〆等の房の部分を十分に包むことが出来る大きさとし、透明又は半透明のシートにすることによって内部の房の状態と色、柄等が確認できるようにする。
本発明は以上のような構造で、これを使用する時は、帯〆等本体の部分に巻きつけチャックを閉じた後、房方向に摺動移動（図３、矢印方向）させることにより、房の乱れを修正しながら収納することが出来、使用時にはチャック部を外すことなく抜くだけで良く繰返し使用することが出来る。
【実施例１】
【０００７】
図1は本発明の実施例形状で、柔軟性のあるプラスチックシートを使用しており凹凸のチャック部(符号２，３)を設け、この部分を圧着固定することにより房がシート部で包まれる構造である(図４)。チャック部を開放するためにはシートの端面に方向の異なる突起を設けておき、突起（符号４）を指でつまみ、突起（符号５）を開く操作により軽微な力でチャック部の固定を端点から開放することが出来る。使用する時にあっては、帯〆等本体部に巻きつけチャック部を圧入固定した後、房の乱れを整えながら房方向に摺動移動することによって房部分の固定を行い、携帯時の房の乱れや、保存時点での癖付きの防止を行い収納の簡便さのあるものとした。
【実施例２】
【０００８】
図５は本発明の他の実施例で凹凸のチャック部を複数個設け、各種サイズに対応できるようにチャックの組み合わせによりA寸法、B寸法等、巻きつけた時の大きさを選べるようにしてある。
【産業上の利用可能性】
【０００９】
本発明は、着付け教室や、お茶、お花、踊りのお稽古等、着物を常に着用する人たちが使用するのに便利であって、呉服店、貸衣装、着付け等に於ける販売商業利用も可能である。又現在の通常の形態である新品の帯〆等についているカバーは一度外すと再度使用できない。あらかじめこの収納具を取り付ければ何回でも使うことが出来るので、製品に高い付加価値をつけることが可能である。
【図面の簡単な説明】
【００１０】
【図１】本発明の帯〆等房カバーの平面図
【図２】本発明の実施例を示す平面図
【図３】本発明の巻付け状態を示す平面図
【図４】本発明の房部収納状態を示す平面図
【図５】本発明の帯〆等房カバーの他の実施例を示す平面図
【図６】本発明の帯〆等房カバーの正面図
【符号の説明】
【００１１】
１  シート部
２  チャック凹部
３  チャック凸部
４  チャック開閉用突起（A）
５  チャック開閉用突起（B）
６  帯〆等本体部
７  帯〆等房部
【図１】
2005048340.tif 000003
【図２】
2005048340.tif 000004
【図３】
2005048340.tif 000005
【図４】
2005048340.tif 000006
【図５】
2005048340.tif 000007
【図６】
2005048340.tif 000008
(57)【要約】      （修正有）【課題】石鹸にヒアルロン酸ナトリウムなど吸湿性が強い物質を任意の濃度で添加することを可能にした石鹸製造法の提供。【解決手段】高級脂肪酸と苛性ソーダ溶液を混合し純石鹸を作り、それを乾燥させて粉末にする。次に分子量２００万〜３５０万の高分子ヒアルロン酸ナトリウムを任意の濃度（０．０５〜１．０％）で加え、十分に撹拌し、型に入れる。その型に入れた粉末石鹸混合物に、１平方センチメートル当たり１〜２０トンの圧力を加え固めることにより保湿用固形石鹸を得る。【選択図】なし【特許請求の範囲】
【請求項１】
粉末状の純石鹸に分子量２００万〜３５０万の高分子ヒアルロン酸ナトリウムの粉末を０．０５〜１．０％混合し、十分に撹拌し、型に入れ、それに１平方センチメートル当たり１〜２０トンの圧力を加えて固めた固形石鹸の発明。
【請求項２】
添加物としてキトサンを１〜２０％配合した請求項１の発明。
【請求項３】
添加物として天然塩を１〜５０％配合した請求項１、２の発明。
【発明の詳細な説明】
【発明の詳細な説明】
【産業上の利用分野】
【０００１】  この発明は、従来不可能だった石鹸にヒアルロン酸ナトリウムなど吸湿性が強い物質などを任意の濃度で添加することを可能にした石鹸の製造法に関するものである。
【背景技術】
【０００２】  従来は石鹸にヒアルロン酸ナトリウムなどの添加物を加える際には、高級脂肪酸に苛性ソーダを加えてケン化させた後、それが固形化する前に加えて製造していた。【０００３】  しかしその方法ではヒアルロン酸ナトリウムの濃度を０．０５％以上高くすると、吸湿性が強く乾燥しないので、固形化することが非常に困難であった。【０００４】  その結果今までの石鹸にはヒアルロン酸ナトリウムが僅かしか配合されておらず、有効な保湿効果は期待できなかった。
【発明が解決しようとする課題】
【０００５】  本発明はこのような従来技術の持つ欠点を解消するために考案されたものである。
【０００６】  すなはち石鹸にヒアルロン酸ナトリウムを０．０５％以上添加できるような製造方法を確立することである。
【課題を解決するための手段】
【０００７】  そこで、本発明請求項１記載の発明では、粉末化した石鹸に分子量２００万〜３５０万の高分子ヒアルロン酸ナトリウムの粉末を０．０５〜１．０％混合撹拌し、型に入れ、１平方センチメートル当たり１〜２０トンの圧力を加えて固形化するように構成した。
【０００８】  請求項２の発明では、請求項１記載の石鹸の構成成分にキトサンを１〜２０％配合するように構成した。
【０００９】  請求項３の発明では、請求項１、２記載の石鹸の構成成分に天然海水塩を１〜５０％配合するように構成した。
【発明を実施するための最良の形態】
【００１０】  石鹸に保湿剤を加えることは従来から試みられていたが、ヒアルロン酸ナトリウムのように保湿力が強い物質を石鹸に添加する場合、ある一定量以上添加することが出来ないと言う問題があった。【００１１】  それはヒアルロン酸ナトリウムのような強力な保湿剤は吸湿性が強く、一旦水を吸収するとなかなか乾燥しないため、ケン化した液状の石鹸に混ぜても固形化することが難しいからである。【００１２】  つまり石鹸にヒアルロン酸ナトリウムなどの保湿力が強い物質を添加する場合は、水分を加えないような方法で作成するしかない。【００１３】  それは従来のケン化後の液状の石鹸にヒアルロン酸ナトリウムなどを加えるのではなく、一旦ケン化後乾燥させ固形の純石鹸を作り、それを粉末にする。【００１４】  その粉末の石鹸にヒアルロン酸ナトリウムなど添加物を混合し、それに圧力をかけて固めれば可能になる。【００１５】  この方法であれば、原料が粉末状であれば混合して圧力を加えて固めるだけなので、溶かしたり乾燥させたりなどという作業が必要なく、また防腐剤や安定剤などを加える必要もなく、溶解度に左右されずに簡単に任意の濃度で添加物を加えた石鹸が作成可能になる。
【実施例】
【００１６】  高級脂肪酸と苛性ソーダ溶液を混合し、ケン化させて純石鹸を作る。【００１７】  それを乾燥させ、粉末にしたものにヒアルロン酸ナトリウ厶を任意の濃度（０．０５〜１．０％）で加え、十分に撹拌し、型に入れる。【００１８】  その型に入れた粉末石鹸混合物に、１平方センチメートル当たり１〜２０トンの圧力を加え固形化する。【００１９】  以上本発明は特定の具体例で示されかつ説明されたが、これ以外に変形体も別紙記載の特許請求の範囲内で可能であることに留意されたい。
【発明の作用及び効果】
【００２０】  以上の構成からなるヒアルロン酸配合固形石鹸であるが、この石鹸で体を洗うと、石鹸の界面活性作用で皮脂や汚れが落ちる。
【００２１】  また石鹸に配合されたヒアルロン酸ナトリウ厶は、その性質上角質細胞との親和性が非常に強いので、この石鹸で洗うだけで皮膚表面に強く結合する。
【００２２】  その結果ヒアルロン酸ナトリウムの１分子当たり６０００以上の水分子を吸着する強力な保湿作用により、皮膚の乾燥状態は著明に改善される。
【００２３】  この石鹸を使うことにより強力な保湿作用が得られるため、従来保湿効果を得るために使っていた化粧水や乳液などが不要になり、便利で経済的負担も減る事になる。
(57)【要約】［課題］国内外に、早く行き来、出来る様にし、上空に空港が，出来る事により、暗くなりがちな街も、ライトアップする。［解決手段］上空１０００ｍ位以上の街の上に、空港があれば、アクセスも良く、国内外に早く、行き来、出来る様になる。【特許請求の範囲】
【請求項１】
上空（１）１０００ｍ位以上の、街の上の、建物がない場所に、空港（２）を作る。
【請求項２】
上空に、空港が出来る事により、暗くなりがちな街を、ライトアップし、新しい空間を作る。
【発明の詳細な説明】
【発明の詳細な説明】
［発明の属する技術分野］
本発明は、地上１０００ｍ位以上の、街の上の、建物のない場所に、空港を作り、交通を便利にする、上空空港。
［従来の技術］
今現在、地上１０００ｍ位以上の、街の上に、空港がない。
［考案が解決しようとする課題］
街の上空に、空港を作ることにより、交通を便利にし、国内外に早く、行き来、出来る様にする。
【図面の簡単な説明】
【図１】  立体図形
【図１】
2005048571.tif 000002
(57)【要約】【課題】  従来のスリット型グレーチングに対して、機能、強度を従来のまま十分に維持しながら、その構成部品を削減し、コストを大きく低減したスリット型グレーチングを提供する。【解決手段】  スリット型グレーチングの本体部およびスリット部が一枚の金属板で一体成型されているスリット型グレーチング。【選択図】        図６
2005048533.tif 000002
【特許請求の範囲】
【請求項１】
スリット型グレーチングの本体部およびスリット部が一枚の薄い金属板で一体成型され、スリットは平坦面に形成されていることを特徴とするスリット型グレーチング。
【請求項２】
スリット型グレーチングの本体部およびスリット部が一枚の薄い金属板で一体成型され、スリット部は平坦面で端部を折り曲げて補強リブが形成されていることを特徴とするスリット型グレーチング。
【発明の詳細な説明】
【技術分野】
【０００１】
本発明は、一枚の薄い金属板で一体成型したスリット型グレーチングであって、特に、建物・建物まわりの空間、歩道などに多く用いられるスリット型グレーチングに関するものである。
【背景技術】
【０００２】
従来、建物・建物まわりの空間あるいは歩道に用いられるスリット型グレーチングは、本体とスリット部が別々の部品で構成され、スリット部は側板とフラットバー数本を並行にして構成されていた。
従来のスリット型グレーチングは、上記のように、帆体部、スリット部が別々の部品で構成されているので、製作に手間がかかりある一定の工程を必要としていた。また、溶接に伴う様々な悪影響、例えば、歪みが出たり、材質が変質することによる耐久性の低下、および錆が出やすいこと等が生じていた。
【発明の開示】
【発明が解決しようとする課題】
【０００３】
本発明は、スリット型グレーチングを一枚の薄い金属板で一体成型することにより、従来のスリット型グレーチングに対して、機能、強度を従来のまま十分維持しながら、その構成部品を削減し、製造コストを大きく低減したスリット型グレーチングを提供することを目的とするものである。
【発明の効果】
【０００４】
本発明のスリット型グレーチングは、従来のスリット型グレーチングが本体部とスリット部が別々の部品で構成されていたものを、一体成型によって一部品化しているので、溶接箇所が削減されて、その工程がなくなると共に、溶接に伴う様々な悪影響が大幅に削減される。さらに、機能、強度を従来のまま十分に維持しながら、その構成部品を大幅に削減し、その製造コストを大きく低減することができる。
【発明を実施するための最良の形態】
【０００５】
従来のスリット型グレーチングは、本体部とスリット部が別々の部品で構成されていたのであるが、本発明は、これを一枚の薄い金属板で一体成型してスリット型グレーチングとするものであり、金属板としては、ステンレス鋼板、アルミニウム板等を使用することができる。
使用する金属板の厚さは、スリット型グレーチングに成型したときに要求される強度により決められるが、成型が容易な薄いステンレス鋼板を用いるのが好ましい。
【０００６】
一枚の金属板でスリット型グレーチングを一体成型するに当たっては、底板、側板、スリット部および補強リブを折り曲げ加工によって成型する。長方形の角穴（スリット）はスリット部に加工するが、各折り曲げ部に予め折罫を型押しておくのが好ましい。
【０００７】
［実施例１］
図１に示すように、長方形で所要幅０．８ｍｍのステンレス鋼板１を、本体部に当たる底板２、側板３と、スリット部４の幅で折り曲げによって一体成型する。スリット部４には、予め二列に亘って多数の長方形の角穴６を設けておく。また、底板２、側板３、スリット部４の折り曲げ部に折罫７を型押しておくのが好ましい。
図２は図１のステンレス鋼板１を折り曲げ成型したものの縦断側面図であり、図５は折り曲げ成型して本発明のスリット型グレーチングとしたもので、８は本体部とスリット部の両端に溶接して設けた側板で、９は底板２上に溶接して設けたフックである。
【０００８】
［実施例２］
図３に示すように、長方形で所要幅０．８ｍｍのステンレス鋼板１を、本体部に当たる底板２、側板３と、スリット部４および補強リブ５の幅で折り曲げによって一体成型する。また、実施例１と同様に、スリット部４には予め長方形の角穴６を設け、必要に応じて、底板２、側板３、スリット部４、補強リブ５の折り曲げ部に折罫７を型押しておく。
図４は図３のステンレス鋼板１を折り曲げ成型したものの縦断側面図であり、図６は折り曲げ成型して本発明のスリット型グレーチングとしたもので、実施例１と同様に、８は溶接して設けた側板で、９は溶接して設けたフックである。
【図面の簡単な説明】
【０００９】
【図１】実施例１の本体部およびスリット部の展開図である。
【図２】図１の縦断側面図である。
【図３】実施例２の本体部およびスリット部の展開図である。
【図４】図３の縦断側面図である。
【図５】実施例１によるスリット型グレーチングである。
【図６】実施例２によるスリット型グレーチングである。
【符号の説明】
【００１０】
１  長方形のステンレス鋼板
２  底板
３  側板
４  スリット部
５  補強リブ
６  長方形の角穴
７  折罫
８  側板
９  フック
【図１】
2005048533.tif 000003
【図２】
2005048533.tif 000004
【図３】
2005048533.tif 000005
【図４】
2005048533.tif 000006
【図５】
2005048533.tif 000007
【図６】
2005048533.tif 000008
(57)【要約】【課題】  都市化においつけぬ下水本管整備のたち後れから、到る所で下水本管からの豪雨時の逆流等で地下車庫や地下室や１階の浴室等に下水が逆流する事故が起きています。天災として諦めたり、豪雨のたびに地下車庫から車両を避難させる等、豪雨時の不安は大変なものです。水防板で出入り口をふさいでも、排水管から豪雨時には逆流するのでという理由で水防対策が出来ないというケースも多々あります。【解決手段】  従来の常時閉鎖の逆止弁はゴミがつかえて危険で使えず、農業用のフロートと弁が逆方向に垂直に動く逆止弁では高圧の逆流で垂直移動が張り付けられて作動を妨げられる危険があり、安心して都市部に於ては使用しかねます。そこで、常時開放していて、瞬時の高圧逆流を逆回転止めの付いた蓋（弁）の裏の逆流水受けで受けて回転させ高圧で蓋を閉める。一方、緩やかな逆流てもフロートの上昇で弁のロープを緩め、蓋を自重で閉める。【選択図】  図６
2005048568.tif 000002
【特許請求の範囲】
【請求項１】
排水管の逆流を防止する為の逆止弁で逆流を防ぐ蓋（１）を多少常時斜めにフロート（３）の重量とバランスさせて保持し、逆流時に逆方向に回転せぬよう逆回転止め（７）を設け、蓋（１）の下部に高圧の逆流水を受ける半円状の逆流水受け（２）を設け、滑車をつうじてフロート（３）と蓋（１）を結び、逆流時に瞬間的な高圧の逆流水に対して逆流水受け（２）で応じて蓋（１）が閉まりますが、逆流水の水圧が低い時にはフロート（３）の上昇で滑車（４）をつうじて蓋（１）のロープを緩め、自重で蓋（１）は閉まる逆止弁の装置。
【請求項２】
マンホールにインバートがある場合には逆止弁の蓋の半円部分が排水管サイズよりいくぶん小さめとなる為に水圧で密封出来るフィン（１３）を取り付けます。
【発明の詳細な説明】
【発明の詳細な説明】
【技術分野】
【０００１】  本発明は建築物、工作物等への排水管をとうしての逆流を防ぎ、生活上で求められるものです。
【背景技術】
【０００２】  ポンプの圧力で弁を開いて排水する弁では、自然流下に於ては、ゴミのつまる原因になり使えません。農業用の徐々に逆流するケースに用いられる逆止弁は水圧に左右されます。
【発明が解決しようとする課題】
【０００３】  従来の逆流水を防ぐ逆止弁は常時閉まっていて、自然流下の条件下ではゴミがつまって使用出来ません。農業用の垂直に蓋やフロートが動くシステムでは都市化の高圧逆流水では水圧に押されて上下出来ぬ危険がある。
【課題を解決する為の手段】
【０００４】  請求項１で示した構成により、瞬時の高圧逆流に対して蓋の裏の逆流水受けに高圧水がぶつかり蓋は逆回転止めがある為、排水管の方に回転し高圧で閉じられる。あまり高圧でない逆流水であれば、浮力でフロートが上がり、ロープがゆるめられて蓋は自重で閉まる。
【発明を実施するための最良の形態】
【０００５】  この装置は既存のマンホール内にも寸法によっては取り付けられますが、装置取り付け可能なマンホールに替える必要がある場合もあります。装置を取り付ける上流側の配管に逆流時には蓋を自動的に逆流高圧下水にて閉めるか、あまり高圧逆流でない場合にはフロートの上昇により蓋のロープを緩め、自動的に蓋を閉める。逆流が去ればフロートが下がり、蓋は自動的に開かれる。
【発明の効果】
【０００６】  都市化された下水本管からの豪雨時の逆流の危険は一部の下水本管整備が端末まで完了している極僅かの地域除き去っていません。豪雨時の逆流被害は天災としてあきらめるしかないのが、現状です。豪雨のたびごとに地下車庫等では車両を出し、豪雨のたびごとに防災に追われているのが実情です。本発明はそれらへの解決を求められている要望にそっていたしました。本装置を取り付ける事により、天災とあきらめていたケースはなくなります。豪雨のたびに地下駐車場から車を避難させていた事からも安心して解放されます。いくら、水防板でガードしても排水管からの逆流を理由に水防板の設置を控えてきたケースも、安心して水防板と逆流止め用の逆止弁との併用設置が可能となります。
【図面の簡単な説明】
【図１】逆止弁の蓋が開いている平面図
【図２】逆止弁の蓋が閉じている平面図
【図３】逆止弁の蓋が開いている縦断面図
【図４】逆止弁の蓋が閉じている縦断面図
【図５】逆止弁の蓋が開いている横断面図
【図６】逆止弁の蓋が閉じている横断面図
【図７】マンホールにインバートの無い場合の逆止弁の蓋
【図８】マンホールにインバートのある場合の逆止弁の蓋
【図９】マンホールにインバートのある場合の斜視図
【符号の説明】
１．逆止弁の蓋              ８．滑車受け金物  ２．逆流水受け              ９．マンホール  ３．フロート              １０．マンホール蓋（金具止め）  ４．滑車                  １１．排水管  ５．装置受けフレーム      １２．ヒンジ  ６．ロープ                １３．フィン（水圧密閉羽根）  ７．逆回転止め            １４．インバート
【図１】
2005048568.tif 000003
【図２】
2005048568.tif 000004
【図３】
2005048568.tif 000005
【図４】
2005048568.tif 000006
【図５】
2005048568.tif 000007
【図６】
2005048568.tif 000008
【図７】
2005048568.tif 000009
【図８】
2005048568.tif 000010
【図９】
2005048568.tif 000011
(57)【要約】      （修正有）【課題】ゴム等の産業廃棄物を有効利用した、製造コストがきわめて格安の、弾力性と通気性・透水性を有した、防草・歩行衝撃撃緩和・ガーデニング等対応のシートがえられる。【解決手段】ゴムチップ９０〜６５重量％とウレタンポリマー等の硬化性樹脂１０〜３５重量％の混合物を使用サイズ木型に注ぎこみ、上面から圧力をかけてボルト・ナットで固定し、自然加硫で固まった後脱型、縁加工してなる衝撃緩和ゴムと、長繊維不繊布防草シートを上下から包み込み防草シートの縁の接面にシリコーンコーキング材で加工してなる防草・歩行衝撃緩和・ガーデニング対応シートをえる。【選択図】なし【特許請求の範囲】
【請求項１】
粒径２．０〜８．０ｍｍのリサイクルゴムチップ６５〜９０重量％と樹脂３５〜１０重量％の混合物を木枠に注入後、上部より加圧を加え自然放置、硬化確認後脱枠。
この衝撃緩和性ゴム成型品を寸法カット後、ポリエステル１００％の遮光性長繊維不繊布防草適用シートで覆い、疲労骨折等の原因といわれている普通歩行着地時の衝撃が繰り返されるされることによる慢性疲労や転倒による骨折予防につながる防草・衝撃緩和・ガーデニング対応ゴムシート
【請求項２】
ゴムチップ９０〜６５重量％とウレタンポリマー等の硬化性樹脂１０〜３５重量％の混合物を使用サイズ木型に注ぎこみ、上面から圧力をかけてボルト・ナットで固定し、自然加硫で固まった後脱型、縁加工してなる衝撃緩和ゴムと、長繊維不繊布防草シートを上下から包み込み防草シートの縁の接面にシリコーンコーキング材で加工してなる防草・歩行衝撃緩和・ガーデニング対応シートの製造方法。
【発明の詳細な説明】
【発明の詳細な説明】
【技術分野】
【０００１】本発明は防草・衝撃緩和・ガーデニング対応シートに関し、詳しくはゴムの廃材を有効利用した歩行時の衝撃緩和シートと長繊維不繊布よりなる防草シートから生まれた衝撃緩和・ガーデニング対応シートに関するものである。
【背景技術】
【０００２】これまで、道路や公園・ご家庭の庭・墓所周りの防草・歩行緩和手段として、ビニールシートやゴムシートによる防草対応及びレンガ・アスファルト等で歩行路に対応してきましたが、防草シートとしては透水性がないため表面に水溜りが出来たり、樹木の枯れ等の不具合が生じていた、また、レンガやアスファルト路では、段差やひび割れによるつまづきや転倒といった不具合も発生していた。そこで、通気性耐水性を有した防草マットや砂等が開発され、すでに文献が開示されています。
【発明が解決しようとする課題】
【０００３】しっかしながら、こうした従来のシートやマットの製造に関しては、金型費や製造コストが高くつき広範囲に敷設するとかなりの費用が必要になる欠点があった。
本発明は、このような欠点を解消するためになされたもので、廃棄タイヤなどのリサイクルゴムを有効利用して、製造コストを考えた自然加硫方式で製造することにより、少ない予算で広範囲敷設でき、なおかつ従来の防草シート・衝撃緩和ゴムマットに勝る効果を有する防草・衝撃緩和・ガーデニング対応シートの製造方法を提供するものである。
【課題を解決するための手段】
【０００４】すなわち、本発明による防草・衝衝撃緩和シートは、粒径２．０〜８．０ｍｍのゴムチップと、ウレタンポリマーなどの硬化性樹脂との混合比をそれぞれ９０〜６５重量％と１０〜３５重量％に定め、その混合物を木枠型に注ぎ加圧成形後脱枠，カット加工した後、長繊維不繊布防草シートで上下から包み込み、シートとシートとの間をシリコーンコーキング材等で加工し、Ｌ型アングルやフラットバー等でコーキング材が固まるまで冶具で固定してなる製品である。
ゴムチップの粒径を２，０〜８．０ｍｍとし、ウレタンポリマーなどの硬化性樹脂との混合比をそれぞれ９０〜６５重量％と１０〜３５重量％にすることにより、適度の弾力性を有した歩行や走行などにつかれにくく又転倒による骨折の予防につながる衝撃緩和性シートがえられる。
しかしながら、上記の混合比が偏ると、つまりウレタンポリマーなど硬化性樹脂が３５重量％を超えると強度は増しますが弾力性がとぼしくなり、ゴムチップが９０重量％を超えると接着力が弱まり弾力性が損なわれる。
また、ゴムチップの粒径２．０ｍｍ以下を使用すれば、強度は増しますが、弾力性が損なわれる。
【発明を実施するための最良の形態】
【０００５】つづいて、本発明の実施例を図面イ沿って説明すると図１はゴムチップ▲１▼とウレタンポリマーなどの硬化性樹脂▲２▼との混合物でなる衝撃緩和性ゴムの断面図であり、その製造方法は、粒径２．０〜８．０ｍｍのゴムチップ９０〜６５重量％とウレタンポリマーなど硬化性樹脂１０〜３５重量％の混合物を使用厚さ等用木型内に注ぎこみ、上面蓋を圧力をかけてボルト・ナットで固定し、自然加硫で固まった後脱、縁加工してなる衝撃緩和ゴムである。
図２は長繊維不繊布よりなる防草シート▲３▼で衝撃緩和ゴムを上下から包み込み防草シートの縁の接面にシリコーンコーキング材▲４▼で加工した防草・緩和シートの断面図であり、その製造方法は、衝撃緩和ゴムの上下に防草シートの長繊維不繊布を置き、縁の部分の不繊布と不繊布の間にシリコーンコーキング材を注入し、Ｌ型アングルやフラットバー等を使用して固定、接着確認後固定具をはずし、得られる製品である。
実験では、廃タイヤの粉砕物よりなる、粒径２．０〜８．０ｍｍゴムチップ９０〜６５重量％とウレタンポリマー１０〜３５重量％の混合物を厚さ５〜５０ｍｍの木型に注ぎこみ、上面蓋を圧力をかけてボルト・ナットで固定し、自然加硫で固まった後、脱型、縁加工した衝撃緩和ゴムを合成長繊維不繊布を上下から包み、耳部をウレタンコーキング材でとめて製品として確認したところ、通気性と耐水性およびクッション性を兼ね備えた防草・衝撃緩和・ガーデニング対応シートが得られた。
しかしながら、上記の混合比が偏ると、つまりウレタンポリマーなど硬化性樹脂が３５重量％を超えると強度は増しますが弾力性がとぼしくなり、ゴムチップが９０重量％を超えると接着力が弱まり弾力性が損なわれることも判明した。
また、ゴムチップの粒径２．０ｍｍ以下を使用すれば、強度は増しますが、弾力性が損なわれることも判明した。
それゆえに、特許請求の葉に記載のチップの粒径及び混合比の範囲内でチップとウレタンポリマー等の樹脂とを任意に混合出来るが、その混合比率や厚さは等は、その使用目的に応じて調整する事が出来る。
また、通気性、透水性のある防草・衝撃緩和・ガーデニング対応シートの特徴を生かした用途として、美観を求められる場合は敷設後表面に玉砂利等で覆うこともできますし、芝生などの植物を敷設後植付け、地球環境を考えた夏涼しく冬暖かい屋上やベランダガーデニングにうってつけの最適な素材として利用出来る。
【発明の効果】
【０００６】このように、ゴム等の産業廃棄物を有効利用した、製造コストが極めて格安の、弾力性と通気性・透水性を有した、防草・衝撃緩和・ガーデニング対応シートがえられる。
【図面の簡単な説明】
【図１】本発明による衝撃緩和シートの断面図
【図２】本発明による防草・衝撃緩和・ガーデニング対応シートの断面図
【図１】
2005048567.tif 000002
【図２】
2005048567.tif 000003
(57)【要約】【課題】容器に地面に沿って動く採取レバーを付けた、排便処理具を提供する。【解決手段】散歩に抵抗なく持って行け、動物が排便すれば容器（１）を便の後ろに横倒し、片足で踏み固定、採取レバー（１２）を下げると掻部（２）が開き採取レバー（１２）を前に倒し、レバーを引くと案内棒（１０）とピン（６）・環状部（５）・支点（９）及びブラケットに連動し掻部（２）が地面を沿って移動し便を容器に簡単に取り込める。そして帰宅してトイレで処理できる。以上を特徴とする排便処理具。【選択図】図２
2005048570.tif 000002
【特許請求の範囲】
【請求項１】
動物が排便すれば容器（１）を便の後ろに横倒し、片足で踏み固定、採取レバー（１２）を下げると掻部（２）が開き採取レバー（１２）を前に倒し、レバーを引くと案内棒（１０）とピン（６）・環状部（５）・支点（９）及びブラケットに連動して掻部（２）が地面を沿って移動し便を容器に簡単に取り込め、帰宅してトイレで処理でき事を特徴とする、動物の排便処理具。
【発明の詳細な説明】
【技術分野】
【０００１】  本発明は犬等のペット動物の排便を簡単に取り持ち帰り、処理できる動物の排便処理具に関する発明である。
【背景技術】
【０００２】  従来、動物の便は新聞等でつかむか、何かで便を受けて処理している。
【発明の開示】
【発明が解決しょうとする課題】
【０００３】  そのためには、次のような問題点があった。
（イ）便を新聞でつかんで処理するのは感じの良い物でない。
（ロ）便を受ける道具もあるが、動物が動けば付いて行かなければならなく時間もかかり大変である。
（ハ）そのまま放置する人が多く社会問題である。
本発明は、これらの問題を解決するためになされたものである。
【課題を解決するための手段】
【０００４】散歩に抵抗なく持って行け、動物が排便すれば容器（１）を便の後ろに横倒し、片足で踏み固定、採取レバー（１２）を下げると掻部（２）が開き採取レバー（１２）を前に倒し、レバーを引くと案内棒（１０）とピン（６）・環状部（５）・支点（９）及びブラケットに連動して掻部（２）が地面を沿って移動し便を容器に簡単に取り込め、帰宅してトイレで処理できる。以上を特徴とする排便処理具。
【発明の効果】
【０００５】動物の排便処理という、誰もがいやな作業を簡単に処理でき、社会問題の解決にもつながる。
【発明を実施するための最良の形態】
【０００６】  以下、本発明の実施の形態について説明する。
（イ）案内棒（１０）の先端に横軸（８）を設け、横軸の両端に支軸（７）を突出させる。
（ロ）上部を開口部（１３）とする箱状の容器（１）の上縁にピン（６）を介して支軸（７）を半回転自在に設ける。
（ハ）案内棒（１０）後端に設けたブラケット（１１）に挿入して採取レバー（１２）を設け、採取レバー（１２）の先端は腕部（４）後端の支点（９）で連結する。
（ニ）腕部（４）は途中に環状部（５）を有しており先端は断面がくの字状の掻部（２）を設ける。
（ホ）環状部（５）に横軸（８）を貫通させて、腕部（４）は回転自在とする。
（ヘ）容器（１）の開口部（１３）の上縁に導入版（１３）を設ける。
（ト）導入版（１３）と掻部（２）に角度を付け、便の切断を防止し採取を容易にしている。
本発明は以上のような構造で、之を使用する時は便の後に容器を置き、足で固定する。採取レバー（１２）を下げ、前に倒し掻部（２）を開け、掻部（２）を地面にあて、採取レバー（１２）を上げると便は本体に簡単に取り込める。そのまま便所に処理しても良いし、ピン掻部（６）を抜き本体だけ持っていき便所で処理する事もできる。
【図面の簡単な説明】
【０００７】
【図１】    本発明の斜視図
【図２】    本発明の使用状態を示す斜視図
【図３】    本発明の使用状態を示す斜視図
【符号の説明】
【０００８】    １    容器
２    掻部
３    導入版
４    腕部
５    環状部
６    ピン
７    支軸
８    横軸
９    支点
１０  案内棒
１１  ブラケット
１２  採取レバー
１３  開口部
【図１】
2005048570.tif 000003
【図２】
2005048570.tif 000004
【図３】
2005048570.tif 000005